(57)【特許請求の範囲】
【請求項１】
マガジン部から供給されたワイヤ型クリップを開き状態で押し出して被挟着材を挟着する挟着機において、筒形のマガジン部に複数のワイヤ型クリップを保持したガイド棒を挿脱自在に設け、ガイド棒に上記クリップを押し出すプッシャを摺動自在に取り付けたことを特徴とする挟着機におけるワイヤ型クリップの装填機構。
【請求項２】
前記ガイド棒の断面形状を前記クリップの形状に合わせて形成した、請求項１記載の挟着機におけるワイヤ型クリップの装填機構。
【発明の詳細な説明】
【０００１】
【発明の属する技術分野】
本発明は、ワイヤ型クリップで紙等の被挟着材を綴る挟着機において、上記クリップをマガジン部に装填するクリップの装填機構に関する。
【０００２】
【従来技術】
一般に、この種の挟着機は、マガジン部から供給されたワイヤ型クリップを開き状態で押し出して被挟着材を挟着して綴るものであるが、マガジン部にクリップを装填する場合、クリップを特願昭５１ー１１９７４号公報に示されるように、複数のクリップを分離しやすいように接着して連結クリップとし、１単位の連結クリップを挟着機のマガジン部に装填するようにしたものや、ホッチキスと同様の構成のハンドルの一端を本体に回動自在に連結し、ハンドルの内側に棒状のガイド部を取り付け、ハンドルを上方に回動してオープンした時にガイド部の開放側の端部から独立のクリップを嵌挿して装填するものが知られている。
【０００３】
【発明が解決しようとする課題】
しかしながら、前者のものは振動や部品との摩擦などで接着が剥れやすかった。また、後者のものは、ハンドルと連動するガイド部に初めからバラの状態で装填するため、ハンドルを閉じたときにガイド部も動き、ガイド部からクリップが脱落して挟着機内に落ちてしまうことがあり、故障の原因となっていた。
【０００４】
これらの不具合を解消するための方策はいくつか考えられたが、いずれも部品点数が増えたり、装填性が低下したりする結果となっており、その解決策が求められていた。
【０００５】
本発明は上記問題点を解消し、クリップを容易かつ確実に装填することができる挟着機におけるワイヤ型クリップの装填機構を提供することをその課題とする。
【０００６】
【課題を解決するための手段】
前記課題を解決するため、本発明に係る挟着機におけるワイヤ型クリップの装填機構は、マガジン部から供給されたワイヤ型クリップを開き状態で押し出して被挟着材を挟着する挟着機において、筒形のマガジン部に複数のワイヤ型クリップを保持したガイド棒を挿脱自在に設け、ガイド棒に上記クリップを押し出すプッシャを摺動自在に取り付けたことを特徴とする。
【０００７】
なお、前記ガイド棒の断面形状を前記クリップの形状に合わせて形成するのが好ましい。
【０００８】
【発明の実施の形態】
図１は挟着機の斜視図、図２はその縦断面図、図３はその分解斜視図を示す。上記挟着機は、挟着機本体１に設けられたドライバ用通路２にドライバ保持部３と、マガジン部４から供給されたワイヤ型クリップａを受け入れる受け入れ部５と、上記クリップａを拡開する拡開部６とを順次に配置するとともに、上記通路２の延長上に被挟着材ｂの差し込み部７を配置し、上記ドライバ保持部３に保持されたドライバプレート８をドライバ用通路２に沿って移動させて受け入れ部５のクリップａを押し出して拡開部６を通過させる際にクリップａを拡開させた後、被挟着材ｂに挟着させるもので、クリップ受け入れ部５に上記クリップａを供給するマガジン部４を配置してなるものである。
【０００９】
クリップａは図４に示されるように、１本の金属バネ製ワイヤの半分をそれぞれ台形状に折り曲げて裏表に重なるように連続させることにより、台形状の表部ａ１と裏部ａ２とを連結部を介して連結したものである。上記表部ａ１と裏部ａ２とは連結部ａ３を中心にして開くように構成されている。なお、表部ａ１と裏部ａ２とはクリップの２つの部分を便宜的に示したものであるにすぎない。
【００１０】
ドライバ保持部３は断面門形に形成され、内部にはドライバプレート８が摺動可能に保持されている。ドライバプレート８の端部は屈曲して指掛け部９が形成されている。ドライバプレート８の肉厚はクリップａの厚みと略同じに形成され、その先端の摺動範囲は、クリップ受け入れ部５から退避した位置からクリップａの拡開部６の先端位置までであり、ドライバプレート８は先端が上記退避位置にあるようにバネ付勢されている。なお、ドライバプレート８には軸２７が取り付けられ、この軸２７はドライバ保持部３の側壁に形成されたガイド溝３１に摺動自在に係合している。
【００１１】
受け入れ部５はドライバ保持部３の延長上に設けられ、１個のクリップａを受け入れるとともに、ドライバプレート８の摺動を可能にする空間部を備えている。
【００１２】
クリップａの拡開部６はドライバプレート８に押し出された受け入れ部５内のクリップａを拡開する部位で、その両側壁にはくさび形の拡開部材１０が固定されている。拡開部材１０は受け入れ部５側が尖り、その反対側（差し込み部側）が幅広になるように配置されている。そして、拡開部６の上下にはクリップａのワイヤの直径よりも大きく、直径の倍よりも小さい程度のスペースが形成されている。
【００１３】
被挟持部材ｂの差込み部７は、被挟着材ｂの厚みを上記拡開部材１０の基部の幅よりも小さくなるように案内するためのもので、固定ガイド壁１１と可動ガイド壁１２とから構成されている。固定ガイド壁１１は拡開部材１０の基部の幅方向の一端よりも内側に配置され、可動ガイド壁１２は支軸１３を中心に回動可能に設けられ、その壁の基部も拡開部材１０の基部の幅方向の他端よりも内側になるように配置されている。なお、可動ガイド壁１２の基部は挟着機本体１の壁に形成した長孔１４に沿って摺動できるように形成され、固定ガイド壁１１と可動ガイド壁１２との間の開口を大きくすることができるようになっている。
【００１４】
マガジン部４は筒形に形成され、その一端は上記受け入れ部５に開口している。マガジン部４の端部の上面部には係合口１５が、側面部には案内溝１６が形成されている。また、マガジン部４の内部には複数のクリップａを保持するガイド棒１７が挿脱自在に設けられ、ガイド棒１７にはクリップａを受け入れ部５に向けて押圧するプッシャ１８が摺動自在に取り付けられている。
【００１５】
ガイド棒１７は上記クリップａの内側に形成された空間部を貫通する外形を有し、先端から複数のワイヤ型クリップａを１個ずつ嵌合装填することができるように形成されている。ガイド棒１７の基端部にはストッパ部１９が形成されている。装填されたクリップａはガイド棒１７上に保持される。ストッパ部１９には長手方向に沿ってプッシャ１８のガイド溝２０が形成されている。また、ストッパ部１９の両側部には、マガジン部４の側面部の案内溝１６に係合する突部２１が形成されている。
【００１６】
プッシャ１８は、クリップａの両側部と天部とに係合できるようにコ字形に形成された押圧片２２を、プッシャ摘子２３に固定されて前方に突出するロッド２４に対して摺動自在に取り付けたもので、押圧片２２は常時ロッド２４の先端側に位置するようにバネ２５で付勢されている。そして、押圧片２２はストッパ部１９のガイド溝２０の後端から嵌めてガイド棒１７に沿って摺動できるように形成されている。なお、プッシャ摘子２３は、上部にマガジン４の上面部に形成された係合口１５に係合可能な係合片２６を有するとともに、前壁と下片とでガイド棒１７のストッパ部１９を受けるように形成されている。
【００１７】
次に、上記構成の挟着機の作動態様について説明すると、まず、プッシャ１８の係合片２６をマガジン部４の係合口１５から外し、プッシャ１８とガイド棒１７を抜き出す。図５のように、ガイド棒１７にバラのクリップａを嵌合させて保持させ、その後ガイド棒１７を上向きにしてマガジン部４に挿入する。さらに、プッシャ１８の押圧片２２をストッパ部１９のガイド溝２０の後端から嵌めてガイド棒１７に沿って摺動させ、プッシャ摘子２３の係合片２６をマガジン部４の係合口１５に係合させればよい。これにより、クリップａは挟着機本体１内に装填保持され、押圧片２２はバネの力によりクリップａを押圧し、先頭のクリップａをドライバ保持部３の受け入れ部５に押し出す。そして、差込み部７の固定ガイド壁１１と可動ガイド壁１２との間に被挟着材ｂを差し込んだ後、ドライバプレート８の指掛け部９に指を掛けてドライバ保持部３に沿って摺動させる。これにより、上記先頭のクリップａはドライバプレート８により押され、拡開部６の拡開部材１０を通るときに表裏部ａ１、ａ２が拡開される（図６(a) (b) 参照）。拡開された状態でさらに押し出されると、クリップａの表裏部ａ１、ａ２は被挟着材ｂの表裏面を通り、拡開部材１０を越えると、再びクリップａの表裏部ａ１、ａ２は閉じて被挟着材ｂを挟着する（図６(c) 参照）。被挟着材ｂを差込み部７から抜き出すと、図７のようにクリップａによって綴られた状態の被挟着材ｂを得ることができる。
【００１８】
万一、クリップａが内部に詰まったときは、可動ガイド壁１２を開いて固定ガイド壁１１と可動ガイド壁１２との間の開口を大きくして詰まったクリップａを取り出せばよい。
【００１９】
上述のように、ガイド棒１７は挟着機本体１とは別体に構成され、クリップ装填時に他の部品と連動させる必要がないから、構造を簡略化できるとともに、クリップａの装填作業を容易に行なうことができ、さらにガイド棒１７からクリップａが落ちないような角度でマガジンに取り付けることができるので、確実に装填することができる。
【００２０】
なお、ガイド棒１７の断面形状を前記クリップａの形状に合わせて形成すればよいから、例えばクリップａの形状を図８(a) (b) のように、ハート型や動物型をなすユニークな形状にすることができる。
【００２１】
また、クリップａは上記図示例のようなバラの状態で装填してもよいが、複数のクリップａを接着連結して装填するようにしてもよい。
【００２２】
さらに、予備のガイド棒１７を容易しておけば、使い終ったクリップａを保持させてストッカーとして利用することができる。
【図面の簡単な説明】
【図１】本発明に係る挟着機の斜視図
【図２】上記挟着機の縦断面図
【図３】上記挟着機の分解斜視図
【図４】クリップの斜視図
【図５】クリップの装填態様を示す斜視図
【図６】  (a) (b) (c) は上記挟着機による挟着態様説明図
【図７】クリップによって被挟着材を綴じた状態の斜視図
【図８】  (a) (b) はクリップの他の例の正面図
【符号の説明】
ａ  クリップ
ｂ  被挟着材
４  マガジン部
１７  ガイド棒
【図１】
0004378874.tif 000002
【図２】
0004378874.tif 000003
【図３】
0004378874.tif 000004
【図４】
0004378874.tif 000005
【図５】
0004378874.tif 000006
【図６】
0004378874.tif 000007
【図７】
0004378874.tif 000008
【図８】
0004378874.tif 000009